(57)【要約】【課題】  技師の負担を軽減しつつ、転送ミスをすること無しに画像の転送を行うことを可能とする。【解決手段】  転送先データベース３には、キーワードと送信先装置とを対応付けた送信先リストを記憶しておく。Ｘ線ＣＴ装置１は、スキャンガントリ１１とスキャン制御部１２ａ、前処理部１２ｂおよび画像再構成部１２ｃとにより、被検体に関する画像データを再構成する。画像転送処理部１２ｈは、画像データの付帯情報をＤＩＣＯＭタグから取得する。画像転送処理部１２ｈは、転送先データベース３を検索し、上記の付帯情報を含むキーワードが対応付けられた送信先装置を選出する。そして画像転送処理部１２ｈは、選出した送信先装置へと画像データをネットワーク２を介して送信する。【選択図】      図１
2006094047.tif 000002
【特許請求の範囲】
【請求項１】
キーワードと送信先装置とを対応付けた送信先リストを記憶したデータベースにアクセス可能であるとともに、ネットワークに接続可能な医用画像装置において、
被検体の物理的特性に基づいて画像を生成する手段と、
前記画像の付帯情報を取得する手段と、
前記データベースを検索し、前記付帯情報を含むキーワードが対応付けられた送信先装置を選出する選出手段と、
選出された前記送信先装置へと前記画像を前記ネットワークを介して送信する送信手段とを具備したことを特徴とする医用画像装置。
【請求項２】
キーワードと送信先装置とを対応付けた送信先リストを記憶したデータベースにアクセス可能であるとともに、ネットワークに接続可能な画像送信装置において、
画像の付帯情報を取得する手段と、
前記データベースを検索し、前記付帯情報を含むキーワードが対応付けられた送信先装置を選出する選出手段と、
選出された前記送信先装置へと前記画像を前記ネットワークを介して送信する送信手段とを具備したことを特徴とする画像送信装置。
【請求項３】
前記送信手段は、前記選出手段により前記送信先装置が複数選出されたならば、これら複数の前記送信先装置のそれぞれへ前記画像を送信することを特徴とする請求項２に記載の画像送信装置。
【請求項４】
前記付帯情報を含むキーワードに対応付けて画像処理方法が前記データベースに記憶されているときに、その画像処理方法での画像処理を前記画像に対して施す手段をさらに具備し、
かつ前記送信手段は、画像処理された後の前記画像を送信することを特徴とする請求項２に記載の画像送信装置。
【請求項５】
キーワードと送信先装置とを対応付けた送信先リストを記憶したデータベースにアクセス可能であるとともに、ネットワークに接続可能なコンピュータを、
画像の付帯情報を取得する手段と、
前記データベースを検索し、前記付帯情報を含むキーワードが対応付けられた送信先装置を選出する選出手段と、
選出された前記送信先装置へと前記画像を前記ネットワークを介して送信する送信手段として機能させることを特徴とする画像送信プログラム。
【発明の詳細な説明】
【技術分野】
【０００１】
本発明は、生成した画像をネットワークを介して別の装置に送信するための医用画像装置、画像送信装置および画像送信プログラムに関する。
【背景技術】
【０００２】
近年、コンピュータネットワークの発展に伴い、Ｘ線ＣＴ装置などの医用画像装置で撮影した画像を画像サーバで保管したり、上記画像に基づいて読影装置で画像診断をするなどのために、画像を医用画像装置から他の装置に転送する場面が増えている。
【０００３】
一般に医用画像装置での撮影は、医師からの要求に応じて医用画像装置を担当する技師が行う。技師は撮影の度に、その撮影を要求している医師やその医師が属する医療科などから画像の転送先となる装置を判断して、その転送先装置へ画像を転送するように医用画像装置を操作している。
【特許文献１】特開平３−２８４２４９号公報
【発明の開示】
【発明が解決しようとする課題】
【０００４】
ネットワークに接続された様々な装置のうちから転送先装置を選択して、その転送先装置を医用画像装置へ指定するという煩わしい操作を技師が繰り返し行わなければならなかった。
【０００５】
また、内科や循環器科などの部門毎に画像サーバなどの画像転送先となり得る装置が個別に設置される場合には、技師が適切に転送先装置を選択する必要があるために技師の負担が大きい上に、技師の選択ミスによる転送ミスが起きる恐れを排除できなかった。
【０００６】
本発明はこのような事情を考慮してなされたものであり、その目的とするところは、技師の負担を軽減しつつ、転送ミスをすること無しに画像の転送を行うことができる医用画像装置、画像送信装置および画像送信プログラムを提供することにある。
【課題を解決するための手段】
【０００７】
以上の目的を達成するために第１の本発明は、キーワードと送信先装置とを対応付けた送信先リストを記憶したデータベースにアクセス可能であるとともに、ネットワークに接続可能な医用画像装置に、被検体の物理的特性に基づいて画像を生成する手段と、前記画像の付帯情報を取得する手段と、前記データベースを検索し、前記付帯情報を含むキーワードが対応付けられた送信先装置を選出する選出手段と、選出された前記送信先装置へと前記画像を前記ネットワークを介して送信する送信手段とを備えた。
【０００８】
また前記の目的を達成するために第２の本発明は、キーワードと送信先装置とを対応付けた送信先リストを記憶したデータベースにアクセス可能であるとともに、ネットワークに接続可能な画像送信装置に、画像の付帯情報を取得する手段と、前記データベースを検索し、前記付帯情報を含むキーワードが対応付けられた送信先装置を選出する選出手段と、選出された前記送信先装置へと前記画像を前記ネットワークを介して送信する送信手段とを備えた。
【０００９】
また前記の目的を達成するために第３の本発明は、キーワードと送信先装置とを対応付けた送信先リストを記憶したデータベースにアクセス可能であるとともに、ネットワークに接続可能なコンピュータを、画像の付帯情報を取得する手段と、前記データベースを検索し、前記付帯情報を含むキーワードが対応付けられた送信先装置を選出する選出手段と、選出された前記送信先装置へと前記画像を前記ネットワークを介して送信する送信手段として機能させるように画像送信プログラムを構成した。
【発明の効果】
【００１０】
本発明によれば、送信先装置を自動的に選択してこの選択した送信先装置へ画像を自動送信することができるので、技師の負担を軽減しつつ、転送ミスをすること無しに画像の転送を行うことが可能となる。
【発明を実施するための最良の形態】
【００１１】
以下、図面を参照して本発明の実施形態について説明する。
【００１２】
（第１の実施形態）
図１は第１の実施形態に係るＸ線ＣＴ装置１の主要部の構成を示す図である。第１の実施形態のＸ線ＣＴ装置１は、スキャンガントリ１１とコンピュータ装置１２とから構成される。
【００１３】
スキャンガントリ１１は、被検体に関する投影データを収集するための構成要素である。スキャンガントリ１１は、例えば寝台、寝台駆動部、架台回転駆動部、Ｘ線管装置、Ｘ線検出器、あるいはデータ収集部などを含む周知の構成を持つ。スキャンガントリ１１で収集された投影データは、コンピュータ装置１２での画像再構成等の処理に供される。
【００１４】
コンピュータ装置１２は、スキャン制御部１２ａ、前処理部１２ｂ、画像再構成部１２ｃ、表示部１２ｄ、操作卓１２ｅ、ＤＩＣＯＭ処理部１２ｆ、通信部１２ｇ、画像転送処理部１２ｈおよび画像処理部１２ｉを備える。これらコンピュータ装置１２の各部は、データ／制御バス１２ｊを介して互いに接続されている。
【００１５】
スキャンガントリ１１からコンピュータ装置１２に供給されたデータは、前処理部１２ｂを介して投影データとして画像再構成部１２ｃに供給され、そこで断層画像などを表す画像データの再構成処理に供される。画像データは、表示部１２ｄにて表示される。
【００１６】
操作卓１２ｅは、操作者が例えばスキャン条件や撮影範囲を始めとする様々な情報や各種指示を入力するために設けられている。操作卓１２ｅは、操作画面を備える。この操作画面または表示部１２ｄには、スキャン制御部１２ａにより、操作者による上記各種情報や各種指示の入力を支援するために好適に工夫された設定画面が表示される。
【００１７】
ＤＩＣＯＭ処理部１２ｆは、再構成された画像データを含んだＤＩＣＯＭデータを生成する。
【００１８】
通信部１２ｇは、ネットワーク２を介して、転送先データベース（ＤＢ）３やその他の装置と通信する。通信部１２ｇによる通信対象となる装置は、例えば画像サーバ４、３Ｄ用ワークステーション（３ＤＷＳ）５あるいはイメージャ６である。画像サーバ４、３Ｄ用ワークステーション５あるいはイメージャ６は、それぞれ複数台がネットワーク２に接続される場合がある。ネットワーク２は、例えば病院内ＬＡＮである。
【００１９】
画像転送処理部１２ｈは、画像サーバ４、３Ｄ用ワークステーション５あるいはイメージャ６へのＤＩＣＯＭデータの送信（以下、画像転送と称する）を実現するための画像転送処理を実行する。画像転送処理部１２ｈは画像転送処理を実現するための機能として、付帯情報取得機能、転送先選出機能および画像送信機能を備える。付帯情報取得機能は、画像転送の対象となる画像データの付帯情報を取得する。転送先選出機能は、上記の付帯情報を利用して転送先データベースに記憶された転送先リストを検索することによりＤＩＣＯＭデータの送信先（以下、画像転送先と称する）を選出する。画像送信機能は、上記の選出した画像転送先へとＤＩＣＯＭデータを送信する。
【００２０】
画像処理部１２ｉは、フィルタ処理、拡大処理、回転処理、ＭＰＲ（multi-planar reconstruction）処理、あるいは３Ｄ処理などの画像処理をＤＩＣＯＭデータに含まれる画像データに対して施す。
【００２１】
画像転送処理部１２ｈおよび画像処理部１２ｉは、コンピュータ装置１２に搭載されたプロセッサにプログラムを実行させることにより実現することができる。このときに画像転送処理部１２ｈおよび画像処理部１２ｉは、上記のプログラムがコンピュータ装置１２に予めインストールされて実現されても良いし、磁気ディスク（フロッピー（登録商標）ディスクなど）、光磁気ディスク（ＭＯなど）、光ディスク（ＣＤ−ＲＯＭ、ＤＶＤ−ＲＯＭなど）、半導体メモリ（メモリカードなど）などのようなリムーバブルな記録媒体に記録して、あるいはインターネットなどのネットワークを介して上記のプログラムを配布し、このプログラムをコンピュータ装置１２に適宜インストールして実現されても良い。なお、上記の各部は、その一部または全てをロジック回路などのハードウェアにより実現することも可能である。また上記の各部のそれぞれは、ハードウェアとソフトウェア制御とを組合わせて実現することも可能である。
【００２２】
転送先データベース３は、ＤＩＣＯＭ（digital imaging and communications in medicine）の付帯情報とされ得るキーワードに対応付けて画像転送先と、画像データに対して施すべき画像処理とを記述した、例えば図２に示すような転送先リストを記憶している。この転送先データベース３へは、Ｘ線ＣＴ装置１からネットワーク２を介してアクセス可能である。また転送先リストは、図示しない医師端末などから更新可能としても良い。
【００２３】
次に以上のように構成されたＸ線ＣＴ装置１の動作について説明する。  
なお、Ｘ線ＣＴ装置１における被検体のスキャンや再構成などに係る動作は従来よりある同種の装置と同様であるのでその説明は省略する。第１の実施形態のＸ線ＣＴ装置１における特徴的な動作は、画像転送に係わる動作であるので、以下ではこの点について詳細に説明する。
【００２４】
図３は画像転送処理部１２ｈの処理手順を示すフローチャートである。  
撮影が完了してＤＩＣＯＭ処理部１２ｆによりＤＩＣＯＭデータが生成されると、このＤＩＣＯＭデータを転送対象として登録するように画像転送処理部１２ｈに対して要求される。
【００２５】
ステップＳＴ１において画像転送処理部１２ｈは、上記の要求に応じてＤＩＣＯＭデータを送信対象として登録する。
【００２６】
ステップＳＴ２において画像転送処理部１２ｈは、転送先データベース３へアクセスし、転送先リストにキーワードとして記述されているうちの未読み出しのＤＩＣＯＭタグを１つ読み出す。ステップＳＴ３において画像転送処理部１２ｈは、登録されたＤＩＣＯＭデータの付帯情報に含まれたうちの未読み出しのＤＩＣＯＭタグの内容を１つ読み出す。ステップＳＴ４において画像転送処理部１２ｈは、ステップＳＴ３で読み出した内容をステップＳＴ２で読み出したＤＩＣＯＭタグの内容とチェックする。両内容が合致するならば、画像転送処理部１２ｈはステップＳＴ４からステップＳＴ５へ進む。ステップＳＴ５において画像転送処理部１２ｈは、ステップＳＴ２で読み出したＤＩＣＯＭタグに転送先リストにて対応付けられた転送先へステップＳＴ１で登録したＤＩＣＯＭデータを転送する。なお、ステップＳＴ３におけるチェックでの合致は、必ずしも完全一致である必要はない。２つのＤＩＣＯＭタグの内容がどのような関係にあるときに両内容が合致すると判定するかは、予め定めたルールに従えばよい。
【００２７】
ステップＳＴ６において画像転送処理部１２ｈは、ステップＳＴ２で読み出したＤＩＣＯＭタグに対応付けて転送先リストにて２次元画像処理の実施が指定されているか否かを確認する。そして２次元画像処理の実施が指定されているならば画像転送処理部１２ｈは、ステップＳＴ６からステップＳＴ７へ進む。ステップＳＴ７において画像転送処理部１２ｈは、転送先リストにて指定されている２次元画像処理を画像処理部１２ｉに実行させる。ステップＳＴ８において画像転送処理部１２ｈは、画像処理部１２ｉにより２次元画像処理がなされた後の画像データを含んだＤＩＣＯＭデータを、ステップＳＴ２で読み出したＤＩＣＯＭタグに転送先リストにて対応付けられた転送先へ転送する。こののち画像転送処理部１２ｈはステップＳＴ９へ進む。なお、２次元画像処理の実施が指定されていないならば、画像転送処理部１２ｈはステップＳＴ６からステップＳＴ９へ進む。
【００２８】
ステップＳＴ９において画像転送処理部１２ｈは、ステップＳＴ２で読み出したＤＩＣＯＭタグに対応付けて転送先リストにてＭＰＲ画像処理の実施が指定されているか否かを確認する。そしてＭＰＲ画像処理の実施が指定されているならば、画像転送処理部１２ｈはステップＳＴ９からステップＳＴ１０へ進む。ステップＳＴ１０において画像転送処理部１２ｈは、転送先リストにて指定されているＭＰＲ画像処理の内容とステップＳＴ２で読み出したＤＩＣＯＭタグに転送先リストにて対応付けられた転送先とを記憶する。こののち画像転送処理部１２ｈはステップＳＴ１１へ進む。なお、ＭＰＲ画像処理の実施が指定されていないならば、画像転送処理部１２ｈはステップＳＴ９からステップＳＴ１１へ進む。一方、ステップＳＴ３で読み出した内容をステップＳＴ２で読み出したＤＩＣＯＭタグの内容とが合致しないのならば、画像転送処理部１２ｈはステップＳＴ４からステップＳＴ１１へ進む。
【００２９】
ステップＳＴ１１において画像転送処理部１２ｈは、登録されたＤＩＣＯＭデータの付帯情報に含まれた全てのＤＩＣＯＭタグの内容をチェックし終えたか否かを確認する。もし、まだチェックし終えていないのであれば、画像転送処理部１２ｈはステップＳＴ３以降の処理を繰り返し実行する。登録されたＤＩＣＯＭデータの付帯情報に含まれた全てのＤＩＣＯＭタグの内容をチェックし終えたならば、画像転送処理部１２ｈはステップＳＴ１１からステップＳＴ１２へ進む。
【００３０】
ステップＳＴ１２において画像転送処理部１２ｈは、転送先リストにキーワードとして記述されている全てのＤＩＣＯＭタグをチェックし終えたか否かを確認する。もし、まだチェックし終えていないので有れば、画像転送処理部１２ｈはステップＳＴ２以降の処理を繰り返し実行する。転送先リストにキーワードとして記述されている全てのＤＩＣＯＭタグをチェックし終えたならば、画像転送処理部１２ｈはステップＳＴ１２からステップＳＴ１３へ進む。
【００３１】
ステップＳＴ１３において画像転送処理部１２ｈは、ＭＰＲ処理対象画像が全て登録されたか否かを確認する。もしまだ登録されていない画像があるのならば、画像転送処理部１２ｈはステップＳＴ１以降の処理を繰り返す。ＭＰＲ処理対象画像が全て登録されたならば、画像転送処理部１２ｈはステップＳＴ１３からステップＳＴ１４へ進む。
【００３２】
ステップＳＴ１４において画像転送処理部１２ｈは、ＭＰＲ処理が登録されているか否かを確認する。そしてＭＰＲ処理が登録されているならば、画像転送処理部１２ｈは、ステップＳＴ１５へ進む。ステップＳＴ１５において画像転送処理部１２ｈは、ステップＳＴ１０で記憶した処理内容に基づくＭＰＲ画像の作成を画像処理部１２ｉに実行させる。ステップＳＴ１６において画像転送処理部１２ｈは、作成されたＭＰＲ画像を含むＤＩＣＯＭデータを、ステップＳＴ１０で記憶した転送先へ転送する。ステップＳＴ１７において画像転送処理部１２ｈは、登録されている全てのＭＰＲ処理を実施し終えたか否かを確認する。もし、ＭＰＲ処理が実施し終えていなければ、ステップＳＴ１５乃至ステップＳＴ１７の処理を繰り返し実行する。そしてＭＰＲ処理を実施し終えたならば、画像転送処理部１２ｈは図３の処理を終了する。なお、ＭＰＲ処理が登録されていないのならば、画像転送処理部１２ｈはステップＳＴ１４から図３の処理を終了する。
【００３３】
なお第１の実施形態では、転送先リストには図２に示すように、ローカルハードディスク装置への画像データの保存をするか否かを指定できるようになっている。そして画像転送処理部１２ｈは、画像データの保存が指定されている場合にのみローカルハードディスク装置（図示せず）への画像データの保存を行うことにより、ローカルハードディスク装置の容量の消費を必要最小限に抑える。
【００３４】
このように第１の実施形態のＸ線ＣＴ装置１によれば、再構成した画像データを含めて生成したＤＩＣＯＭデータの転送先を、依頼側部門や依頼側医師などといったＤＩＣＯＭの付帯情報に基づいて自動的に決定し、上記のＤＩＣＯＭデータを自動転送する。従って、Ｘ線ＸＴ装置１を操作する技師は、転送先を指示する必要がなく、技師の作業は簡略となるとともに、転送先の指示ミスが無くなる。
【００３５】
なお、ＤＩＣＯＭの付帯情報の一部は、医師端末や受け付け端末などからネットワーク２を介してＸ線ＣＴ装置１へ送られてくる場合や、操作卓１２ｅにより技師が入力する場合などがある。後者の場合には、付帯情報の入力作業を技師が行う必要が生じるが、医師などにより作成される撮影指示書に記載されている情報を単純に入力すれば良いので、転送先を技師が判断して入力する場合に比べれば簡略であり、ミスが生じる確率も低い。
【００３６】
このように、Ｘ線ＣＴ装置１は伝送先リストに基づいて転送先を自動決定するので、医師が画像転送を希望する転送先を転送先リストに登録することにより、その転送先への自動転送をＸ線ＣＴ装置１に行わせることが可能となる。従来は、医師が技師に転送先を通知し、技師がＸ線ＣＴ装置に転送先を入力していたため、技師による入力ミスが生じ易い状況であったが、上述のように医師が直接的に転送先の入力を行うことで転送ミスが生じることを確実に防止することができるようになる。
【００３７】
また第１の実施形態によれば、ＤＩＣＯＭの付帯情報の全てを転送先リストの全てのキーワードと照合し、付帯情報に合致するキーワードが複数有るならば、それらのキーワードに対応付けられた各転送先へそれぞれＤＩＣＯＭデータを転送する。このため、例えば医師が属する医療科に属する画像サーバ４と、上記医師が使用するイメージャ６とにそれぞれＤＩＣＯＭデータを転送させるといった形態での自動転送を実行することができ、利便性が高い。
【００３８】
さらに第１の実施形態によれば、付帯情報に合致するキーワードに対応付けて画像処理方法が指定されているならば、その画像処理方法での画像処理を画像データに対して自動的に施し、処理後の画像データを含んだＤＩＣＯＭデータを自動転送する。このため、ルーチン化している画像処理については、撮影の度に技師が処理方法の指示などを行う必要が無くなり、技師の負担がさらに軽減される。
【００３９】
（第２の実施形態）
図４は第２の実施形態に係る画像サーバ７の構成を示す図である。なお、図１と同一部分には同一符号を付し、その詳細な説明は省略する。
【００４０】
図４に示すように第２の実施形態の画像サーバ７は、通信部７ａ、画像記憶部７ｂ、画像転送処理部７ｃおよび画像処理部７ｄを備える。これら画像サーバ７の各部は、データ／制御バス７ｅを介して互いに接続されている。
【００４１】
通信部７ａは、ネットワーク２を介して、転送先データベース３、画像サーバ４、３Ｄ用ワークステーション５、イメージャ６およびＸ線ＣＴ装置８と通信する。
【００４２】
画像記憶部７ｂは、Ｘ線ＣＴ装置８から送られてきたＤＩＣＯＭデータを記憶する。
【００４３】
画像転送処理部７ｃは、Ｘ線ＣＴ装置８から送られてきたＤＩＣＯＭデータを画像サーバ４、３Ｄ用ワークステーション５あるいはイメージャ６へ転送するための画像転送処理を実行する。画像転送処理部７ｃは画像転送処理を実現するための機能として、画像転送処理部１２ｈが備えるのと同等な機能を備える。
【００４４】
画像処理部７ｄは、フィルタ処理、拡大処理、回転処理、ＭＰＲ処理、あるいは３Ｄ処理などの画像処理をＤＩＣＯＭデータに含まれる画像データに対して施す。
【００４５】
この画像サーバ７は、例えば汎用のサーバ装置やコンピュータ装置を基本ハードウェアとして用いることができる。そして画像転送処理部７ｃおよび画像処理部７ｄは、上記の基本ハードウェアに搭載されたプロセッサにプログラムを実行させることにより実現することができる。このときに画像転送処理部７ｃおよび画像処理部７ｄは、上記のプログラムが上記の基本ハードウェアに予めインストールされて実現されても良いし、リムーバブルな記録媒体に記録して、あるいはインターネットなどのネットワークを介して上記のプログラムを配布し、このプログラムを上記の基本ハードウェアに適宜インストールして実現されても良い。なお、上記の各部は、その一部または全てをロジック回路などのハードウェアにより実現することも可能である。また上記の各部のそれぞれは、ハードウェアとソフトウェア制御とを組合わせて実現することも可能である。
【００４６】
次に以上のように構成された画像サーバ７の動作について説明する。  
この画像サーバ７を利用するためには、Ｘ線ＣＴ装置８で生成されたＤＩＣＯＭデータを画像サーバ７へと転送するようにしておく。
【００４７】
画像サーバ７は、Ｘ線ＣＴ装置８からＤＩＣＯＭデータが転送されてきたならば、これを通信部７ａが受信して、画像記憶部７ｂに記憶する。こののちに画像転送処理部７ｃが、画像記憶部７ｂに記憶されたＤＩＣＯＭデータを転送対象として、前記第１の実施形態における画像転送処理部１２ｈと同様な処理を実行する。
【００４８】
かくして第２の実施形態の画像サーバ７によれば、前記第１の実施形態ではＸ線ＣＴ装置１にて行っていた画像の自動転送を、画像サーバ７にて代行することができる。このため、Ｘ線ＣＴ装置８の負荷を軽減することができ、撮影を効率的に行うことができるようになる。
【００４９】
以上の各実施形態は、次のような種々の変形実施が可能である。  
転送先データベース３は、Ｘ線ＣＴ装置１や画像サーバ７に内蔵しても良い。  
付帯情報の取得は、操作卓１２ｅでの入力を受け付けたり、ネットワークを介して図示しない医師端末や受け付け端末から受信するなどのような別の方法により取得しても良い。
【００５０】
画像処理部１２ｉ，７ｄによる画像処理を行わないようにしても良い。  
ＭＲＩ装置などの他の種類の医用画像装置にも本発明の適用が可能である。  
画像データを転送するためのデータフォーマットは、ＤＩＣＯＭに準拠したフォーマットには限らず、任意であって良い。
【００５１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００５２】
【図１】本発明の第１の実施形態に係るＸ線ＣＴ装置１の主要部の構成を示す図。
【図２】図１中の転送先データベース３に記憶される転送先リストの一例を示す図。
【図３】図１中の画像転送処理部１２ｈの処理手順を示すフローチャート。
【図４】本発明の第２の実施形態に係る画像サーバ７の構成を示す図。
【符号の説明】
【００５３】
１，８…Ｘ線ＣＴ装置、２…ネットワーク、３…転送先データベース、４…画像サーバ、５…３Ｄ用ワークステーション、６…イメージャ、７…画像サーバ、１１…スキャンガントリ、１２…コンピュータ装置、１２ａ…スキャン制御部、１２ｂ…前処理部、１２ｃ…画像再構成部、１２ｄ…表示部、１２ｅ…操作卓、１２ｆ…処理部、１２ｇ，７ａ…通信部、１２ｈ，７ｃ…画像転送処理部、１２ｉ，７ｄ…画像処理部、７ｂ…画像記憶部。
【図１】
2006094047.tif 000003
【図２】
2006094047.tif 000004
【図３】
2006094047.tif 000005
【図４】
2006094047.tif 000006